(57)【要約】【課題】移動通信端末側又はネットワーク側の送信失敗要因を特定する。【解決手段】無線管理局の第２の最新送受信信号保持部300Aと、第２の最新送受信信号保持部に保持された無線管理局の最新の送信信号、最新の受信信号と第１の最新送受信信号保持部100Cに保持された移動通信端末での最新の送信信号、最新の受信信号を基に通信失敗要因を判断する通信失敗要因判断部100Dと、各移動通信端末の通信失敗要因判断部、最新送受信電力情報保持部100Bからの通信失敗要因、通信送信電力を基地局毎に保持する通信失敗情報保持部300Bと、複数の移動通信端末の受信電力が低く無線管理局からの通信失敗が多い場合複数の基地局に対して送信電力の増加を要求し、複数の移動通信端末の送信電力が低く複数の移動通信端末からの送信失敗が多い場合複数の移動通信端末に対して送信電力の増加を要求する送信電力増加要求部300Cとからなる。【選択図】図２
2007110657.tif 000002
【特許請求の範囲】
【請求項１】
無線管理局同士が接続され、各無線管理局が管轄する複数の基地局の各々のエリアに在圏する移動通信端末の通信失敗要因特定による通信品質向上システムにおいて、
前記移動通信端末で送信した送信信号の送信電力、受信した受信信号の受信電力を測定する送受信電力測定部と、
最新の送受信信号について前記送受信電力測定部で測定された送信電力、受信電力を保持する最新送受信電力情報保持部と、
前記移動通信端末で送受信した最新の送信信号、最新の受信信号を保持する第１の最新送受信信号保持部と、
前記無線管理局で、管轄している基地局に在圏する移動通信端末から送受信した最新の送信信号、最新の受信信号を保持する第２の最新送受信信号保持部と、
通信失敗した前記移動通信端末に対して、前記第２の最新送受信信号保持部に保持された前記無線管理局の最新の送信信号、最新の受信信号を通知させ、前記無線管理局での最新の送信信号、最新の受信信号と前記第１の最新送受信信号保持部に保持された前記移動通信端末での最新の送信信号、最新の受信信号を基に通信失敗要因として基地局からの送信失敗、又は、移動通信端末からの送信失敗を判断する通信失敗要因判断部と、
通信失敗した各移動通信端末の前記通信失敗要因判断部、前記最新送受信電力情報保持部から無線管理局にそれぞれ通知された通信失敗要因、通信送信電力を基地局毎に保持する通信失敗情報保持部と、
前記通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する送信電力増加要求部とを備えることを特徴とする、通信失敗要因特定による通信品質向上システム。
【請求項２】
前記通信失敗要因判断部は、移動通信端末から無線管理局に送信信号を送信する場合で送信信号を無線管理局で受信できない場合には移動通信端末の送信失敗と判断し送信信号の送達確認信号を移動通信端末で受信できない場合には基地局の送信失敗と判断し、さらに、無線管理局から移動通信端末に送信信号を送信する場合で送信信号を移動通信端末で受信できない場合には基地局の送信失敗と判断し送信信号の送達確認信号を無線管理局で受信できない場合には移動通信端末の送信失敗と判断することを特徴とする、請求項１に記載の通信失敗要因特定による通信品質向上システム。
【請求項３】
前記送信電力増加要求部は、各基地局に在圏する複数の移動通信端末の送信電力の総和に対して制限値を設け、さらに、各基地局に在圏する複数の移動通信端末の受信電力の平均の制限値を設け、各基地局に在圏する複数の移動通信端末の送信電力の総和がその制限値に対して余裕がある場合には通信失敗した移動通信端末に余裕の送信電力の増加を配分し、各基地局に在圏する複数の移動通信端末の受信電力の平均がその制限値に対して余裕がある場合には、余裕分だけ基地局の送信電力を増加させることを特徴とする、請求項１に記載の通信失敗要因特定による通信品質向上システム。
【請求項４】
無線管理局同士が接続され、各無線管理局が管轄する複数の基地局の各々のエリアに在圏する移動通信端末の通信失敗要因特定による通信品質向上方法において、
前記移動通信端末で送信した送信信号の送信電力、受信した受信信号の受信電力を測定する工程と、
最新の送受信信号について前記送受信電力測定部で測定された送信電力、受信電力を保持する工程と、
前記移動通信端末で送受信した最新の送信信号、最新の受信信号を保持する工程と、
前記無線管理局で、管轄している基地局に在圏する移動通信端末から送受信した最新の送信信号、最新の受信信号を保持する工程と、
通信失敗した前記移動通信端末に対して、保持された前記無線管理局の最新の送信信号、最新の受信信号を通知させ、前記無線管理局での最新の送信信号、最新の受信信号と保持された前記移動通信端末での最新の送信信号、最新の受信信号を基に通信失敗要因として基地局からの送信失敗、又は、移動通信端末からの送信失敗を判断する工程と、
通信失敗した各移動通信端末から無線管理局に通知された通信失敗要因、通信送信電力を基地局毎に保持する工程と、
保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する工程とを備えることを特徴とする、通信失敗要因特定による通信品質向上方法。
【請求項５】
無線管理局同士が接続され、各無線管理局が管轄する複数の基地局の各々のエリアに在圏する移動通信端末の通信失敗要因特定による通信品質向上をコンピュータで実行するプログラムにおいて、
前記移動通信端末で送信した送信信号の送信電力、受信した受信信号の受信電力を測定する手順と、
最新の送受信信号について前記送受信電力測定部で測定された送信電力、受信電力を保持する手順と、
前記移動通信端末で送受信した最新の送信信号、最新の受信信号を保持する手順と、
前記無線管理局で、管轄している基地局に在圏する移動通信端末から送受信した最新の送信信号、最新の受信信号を保持する手順と、
通信失敗した前記移動通信端末に対して、保持された前記無線管理局の最新の送信信号、最新の受信信号を通知させ、前記無線管理局での最新の送信信号、最新の受信信号と保持された前記移動通信端末での最新の送信信号、最新の受信信号を基に通信失敗要因として基地局からの送信失敗、又は、移動通信端末からの送信失敗を判断する手順と、
通信失敗した各移動通信端末から無線管理局に通知された通信失敗要因、通信送信電力を基地局毎に保持する手順と、
保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する手順とを備えることを特徴とする、通信失敗要因特定による通信品質向上をコンピュータで実行するプログラム。
【請求項６】
無線管理局同士が接続され、各無線管理局が管轄する複数の基地局の各々のエリアに在圏し、通信失敗要因特定による通信品質向上を行う移動通信端末において、
前記移動通信端末で送信した送信信号の送信電力、受信した受信信号の受信電力を測定する送受信電力測定部と、
最新の送受信信号について前記送受信電力測定部で測定された送信電力、受信電力を保持する最新送受信電力情報保持部と、
前記移動通信端末で送受信した最新の送信信号、最新の受信信号を保持する第１の最新送受信信号保持部と、
通信失敗した前記移動通信端末に対して、前記無線管理局で、管轄している基地局に在圏する移動通信端末から送受信した最新の送信信号、最新の受信信号を保持する第２の最新送受信信号保持部に保持された前記無線管理局の最新の送信データ、最新の受信データを通知させ、前記無線管理局での最新の送信データ、最新の受信データと前記第１の最新送受信信号保持部に保持された前記移動通信端末での最新の送信データ、最新の受信データを基に通信失敗要因として基地局からの送信失敗、又は、移動通信端末からの送信失敗を判断する通信失敗要因判断部と、
通信失敗した各移動通信端末の前記通信失敗要因判断部、前記最新送受信電力情報保持部から無線管理局にそれぞれ通知された通信失敗要因、通信送信電力を基地局毎に保持する通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求させ、又は、総じて複数の移動通信端末の送信電力が低く、複数の移動通信端末からの送信失敗が多い場合、複数の移動通信端末に対して送信電力の増加を無線管理局に要求させることを特徴とする、通信失敗要因特定による通信品質向上を行う移動通信端末。
【請求項７】
移動通信端末が基地局のエリアに在圏する複数の基地局を管轄し、移動通信端末の通信失敗要因特定による通信品質向上を行う無線管理局において、
前記無線管理局で、管轄している基地局に在圏する移動通信端末から送受信した最新の送信信号、最新の受信信号を保持する第２の最新送受信信号保持部と、
通信失敗した前記移動通信端末に対して、前記第２の最新送受信信号保持部に保持された前記無線管理局の最新の送信信号、最新の受信信号を通知させ、前記無線管理局での最新の送信信号、最新の受信信号と、前記移動通信端末で送受信した最新の送信信号、最新の受信信号を保持する第１の最新送受信信号保持部に保持された前記移動通信端末での最新の送信信号、最新の受信信号とを基に通信失敗要因として基地局からの送信失敗、又は、移動通信端末からの送信失敗を判断する通信失敗要因判断部、最新の送受信信号について、前記移動通信端末で送信した送信信号の送信電力、受信した受信信号の受信電力を測定する送受信電力測定部で測定された送信電力、受信電力を保持する最新送受信電力情報保持部から無線管理局にそれぞれ通知された通信失敗要因、通信送信電力を基地局毎に保持する通信失敗情報保持部と、
前記通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する送信電力増加要求部とを備えることを特徴とする、通信失敗要因特定による通信品質向上を行う無線管理局。
【発明の詳細な説明】
【技術分野】
【０００１】
本発明は無線管理局により管轄される基地局と移動通信端末の無線区間で通信を行う通信品質向上システムに関する。特に、本発明は、無線区間の電界不良、干渉波による希望波への妨害、ネットワークと移動通信端末の位相ずれ等の通信異常に対する通信失敗要因特定による通信品質向上システム、方法、プログラム、移動通信端末及び無線管理局に関する。
【背景技術】
【０００２】
移動通信端末と基地局の無線区間で、無線区間の電界不良、干渉波による希望波への妨害、ネットワークと移動通信端末の位相ずれ等の通信異常により、以下のように、通信が失敗する場合がある。
図１１は移動通信端末の無線区間での通信失敗の発生事象例を説明する図である。本図に示すように、移動通信端末からデータ信号の送信に対してネットワーク側から送達確認信号が通知されるが、通信失敗の発生事象の一例として、移動通信端末からネットワーク側にデータ信号（１）、（２）、（３）が順に送信されたとし、一方、移動通信端末ではネットワーク側からデータ信号（１）の送達確認信号、データ信号（２）の送達確認信号が受信され、データ信号（３）の送達確認信号が受信できない場合には通信失敗との判断が行われる。
【０００３】
本図に示すように、さらに、通信失敗には通信失敗要因１、通信失敗要因２の２通りがある。
通信失敗要因１では、移動通信端末からネットワーク側へのデータ信号（１）、（２）、（３）が順に送信され、ネットワーク側ではデータ信号（１）、（２）を受信し、ネットワーク側から移動通信端末にデータ信号（１）の送達確認信号、データ信号（２）の送達確認信号が送信されるが、ネットワーク側ではデータ信号（３）が受信されない場合があり、この場合、データ信号（３）の送達確認信号が送信されず、このため、移動通信端末ではデータ信号（３）の送達確認信号が受信されない。すなわち、通信失敗要因１は移動通信端末の送信失敗を要因とする。
【０００４】
通信失敗要因２では、移動通信端末からネットワーク側へのデータ信号（１）、（２）、（３）が順に行われ、ネットワーク側から移動通信端末に対してデータ信号（１）の送達確認信号、データ信号（２）の送達確認信号、データ信号（３）の送達確認信号が送信され、移動通信端末ではネットワーク側からデータ信号（１）の送達確認信号、データ信号（２）の送達確認信号が受信されるが、データ信号（３）の送達確認信号が受信できない場合がある。すなわち、通信失敗要因２はネットワーク側の送信失敗を要因とする。
【０００５】
このように、通信失敗要因１では移動通信端末の送信失敗を要因とし、通信失敗要因２ではネットワーク側の送信失敗を要因とするので、通信失敗時に通信失敗要因１、通信失敗要因２を特定できなければ、通信品質の向上を図ることができないという問題がある。
なお、通信失敗要因１、通信失敗要因２を特定できなくても、データ信号の再送は可能であるが、再送をできるだけ減少させて通信品質の向上を図るためには、通信失敗要因１、通信失敗要因２の特定が必要となる。
【０００６】
従来、動通信装置による通話（通信）中に、品質の劣化等により通話不能になっても、発信側と着信側で連係を取りながら円滑に再接続が行われるようにするため、無線による基地局との接続を経て他の移動通信装置、移動端末装置、又は固定電話機との間で通話又は通信を行う移動通信装置にあって、移動通信装置の使用者の関与しない回線状態の異常等の原因による回線断があると、終話処理が行われ、自機が着信側であればタイマーで設定した時間の間、発信禁止にし、タイムアップ後に通常待ち受けであることが認識されたとき、自機が着信側にある場合には発信を禁止し、自機が発信側にある場合には再発信処理を実行し、この再発信は、着信側が発信禁止状態、即ち受信可の状態にあるため、確実に着信されるものがある（例えば、特許文献１参照）。
【０００７】
しかしながら、上記特許文献１は、基地局との接続を経て移動通信装置との間で通信を行うものであるが、移動通信端末の送信失敗要因、ネットワーク側の送信失敗要因を特定して、通信品質向上を図るものではない。
また、従来、動画符号通信の品質評価と送信制御において、原画比較と同程度の検出精度で、しかも受信符号だけから検出する場合に近い処理規模で、動画中継機器の評価とともに、動画品質の劣化を検出し、劣化抑制となるよう送信制御を行う装置を提供するため、動画符号送信器と動画符号受信器に、それぞれ動画符号送信検査器と、動画符号受信検査器を接続し、同期符号間のパラメータ数を計数して送信時の検査結果を受信側にも通信して検出漏れを低減するものもある（例えば、特許文献２参照）。
【０００８】
しかしながら、上記特許文献２は、動画品質の劣化を検出するのであるが、移動通信端末の送信失敗要因、ネットワーク側の送信失敗要因を特定するものではない。
また、従来、実際にユーザが使用している移動通信端末装置から位置情報と共に品質情報を現地に赴くことなく取得し、サービスエリアの通信品質の維持向上をはかるため、移動機がサービスエリア圏外、あるいは電波事情の悪い地点で通信異常となった場合、移動機がその時間、場所、通信異常の要因種別を内蔵する記憶装置に蓄積し、次に、発信可能な場所に移動して発信が成功したときにその蓄積したエラー情報をネットワークへ送信し、ネットワークでは、受信したエラー情報を管理サーバシステムへ転送し、管理サーバシステムでは、時間、場所、通信異常の要因による統計処理を行い、品質上問題のある地点を分析してその改善のための有効性を割り出すものもある（例えば、特許文献３参照）。
【０００９】
しかしながら、上記特許文献３は、通信異常の要因を発信可能な場所でネットワークに送信し、その結果の統計から通信品質の向上を図るものであるが、通信失敗の要因の判断が移動通信端末側のみでの判断となるので、移動通信端末の送信失敗か又はネットワーク側の送信失敗であるかの特定を行うものではない。
また、従来、簡易な装置で不感地情報マップを作成できるようにして、運用コストを削減するため、移動局には自局の位置情報を常時出力している位置情報獲得手段と、異常終話発生による通信断時の自局の位置情報記憶手段と、次回の発呼アクセス時の通話回線確立後、制御チャネルを用いて、この位置情報を基地局に送出する位置情報送出手段とを設け、受信した基地局にはこの位置情報を監視局に通知する位置情報通知手段を設け、また監視局には、この位置情報を受信して蓄積しておく位置情報蓄積手段と、蓄積した異常終話位置情報を編集統計処理して不感地マップ作成する不感地マップ作成手段を設けて構成するものもある（例えば、特許文献４参照）。
【００１０】
しかしながら、上記特許文献４は、移動局から基地局に位置情報を出力し、基地局が監視局に位置情報を通知するものであるが、移動通信端末の送信失敗か又はネットワーク側の送信失敗であるかの特定を行うものではない。
また、従来、移動通信システムにおいて基地局におけるトラヒック分布を計算し、基地局における品質を正確にかつ簡易に計算する方法および装置を提供するため、区域データ保持部は区域毎の送信電力Ｐｉ、および呼量Ａｉのデータを保持し、伝搬諸元データ保持部は、受信電力の計算に用いる、基地局および移動局のアンテナ地上高などのデータを保持し、受信電力計算部は、区域データ保持部および伝搬諸元データ保持部より必要なデータを読み出し、受信電力の計算を行い、トラヒック計算部では、受信電力計算部によって計算されたデータから、基地局におけるトラヒックの平均Ｓｍと分散Ｓｖを計算し、品質計算部では、トラヒック計算部により計算された平均Ｓｍと分散Ｓｖおよびしきい値発生部により提供されるしきい値Ｔを用いて、呼損率などの品質を計算し、出力するものもある（例えば、特許文献５参照）。
しかしながら、上記特許文献１は、受信電力等を基に呼損失率などの品質を計算し基地局の品質を計算するものであるが、移動通信端末の送信失敗か又はネットワーク側の送信失敗であるかの特定を行うものではない。
【００１１】
【特許文献１】特開２００３−１５８７６９号公報
【特許文献２】特開２００２−４４６９１号公報
【特許文献３】特開２００２−２７１８３３号公報
【特許文献４】特開平５−３３６５６４号公報
【特許文献５】特開２００１−２１７７８６号公報
【発明の開示】
【発明が解決しようとする課題】
【００１２】
したがって、本発明は上記問題点に鑑みて、移動通信端末の送信失敗要因、ネットワーク側の送信失敗要因を特定して、通信品質向上を図るための通信失敗要因特定による通信品質向上システム、方法、プログラム、移動通信端末及び無線管理局を提供することを目的とする。
【課題を解決するための手段】
【００１３】
本発明は前記問題点を解決するために、無線管理局同士が接続され、各無線管理局が管轄する複数の基地局の各々のエリアに在圏する移動通信端末の通信失敗要因特定による通信品質向上システムにおいて、前記移動通信端末で送信した送信信号の送信電力、受信した受信信号の受信電力を測定する送受信電力測定部と、最新の送受信信号について前記送受信電力測定部で測定された送信電力、受信電力を保持する最新送受信電力情報保持部と、前記移動通信端末で送受信した最新の送信信号、最新の受信信号を保持する第１の最新送受信信号保持部と、前記無線管理局で、管轄している基地局に在圏する移動通信端末から送受信した最新の送信信号、最新の受信信号を保持する第２の最新送受信信号保持部と、通信失敗した前記移動通信端末に対して、前記第２の最新送受信信号保持部に保持された前記無線管理局の最新の送信信号、最新の受信信号を通知させ、前記無線管理局での最新の送信信号、最新の受信信号と前記第１の最新送受信信号保持部に保持された前記移動通信端末での最新の送信信号、最新の受信信号を基に通信失敗要因として基地局からの送信失敗、又は、移動通信端末からの送信失敗を判断する通信失敗要因判断部と、通信失敗した各移動通信端末の前記通信失敗要因判断部、前記最新送受信電力情報保持部から無線管理局にそれぞれ通知された通信失敗要因、通信送信電力を基地局毎に保持する通信失敗情報保持部と、前記通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する送信電力増加要求部とを備えることを特徴とする、通信失敗要因特定による通信品質向上システムを提供する。
【００１４】
さらに、前記通信失敗要因判断部は、移動通信端末から無線管理局に送信信号を送信する場合で送信信号を無線管理局で受信できない場合には移動通信端末の送信失敗と判断し送信信号の送達確認信号を移動通信端末で受信できない場合には基地局の送信失敗と判断し、さらに、無線管理局から移動通信端末に送信信号を送信する場合で送信信号を移動通信端末で受信できない場合には基地局の送信失敗と判断し送信信号の送達確認信号を無線管理局で受信できない場合には移動通信端末の送信失敗と判断する。
【００１５】
さらに、前記送信電力増加要求部は、各基地局に在圏する複数の移動通信端末の送信電力の総和に対して制限値を設け、さらに、各基地局に在圏する複数の移動通信端末の受信電力の平均の制限値を設け、各基地局に在圏する複数の移動通信端末の送信電力の総和がその制限値に対して余裕がある場合には通信失敗した移動通信端末に余裕の送信電力の増加を配分し、各基地局に在圏する複数の移動通信端末の受信電力の平均がその制限値に対して余裕がある場合には、余裕分だけ基地局の送信電力を増加させる。
【００１６】
さらに、本発明は、無線管理局同士が接続され、各無線管理局が管轄する複数の基地局の各々のエリアに在圏する移動通信端末の通信失敗要因特定による通信品質向上方法において、前記移動通信端末で送信した送信信号の送信電力、受信した受信信号の受信電力を測定する工程と、最新の送受信信号について前記送受信電力測定部で測定された送信電力、受信電力を保持する工程と、前記移動通信端末で送受信した最新の送信信号、最新の受信信号を保持する工程と、前記無線管理局で、管轄している基地局に在圏する移動通信端末から送受信した最新の送信信号、最新の受信信号を保持する工程と、通信失敗した前記移動通信端末に対して、保持された前記無線管理局の最新の送信信号、最新の受信信号を通知させ、前記無線管理局での最新の送信信号、最新の受信信号と保持された前記移動通信端末での最新の送信信号、最新の受信信号を基に通信失敗要因として基地局からの送信失敗、又は、移動通信端末からの送信失敗を判断する工程と、通信失敗した各移動通信端末から無線管理局に通知された通信失敗要因、通信送信電力を基地局毎に保持する工程と、保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する工程とを備えることを特徴とする、通信失敗要因特定による通信品質向上方法を提供する。
【００１７】
さらに、本発明は、無線管理局同士が接続され、各無線管理局が管轄する複数の基地局の各々のエリアに在圏する移動通信端末の通信失敗要因特定による通信品質向上をコンピュータで実行するプログラムにおいて、前記移動通信端末で送信した送信信号の送信電力、受信した受信信号の受信電力を測定する手順と、最新の送受信信号について前記送受信電力測定部で測定された送信電力、受信電力を保持する手順と、前記移動通信端末で送受信した最新の送信信号、最新の受信信号を保持する手順と、前記無線管理局で、管轄している基地局に在圏する移動通信端末から送受信した最新の送信信号、最新の受信信号を保持する手順と、通信失敗した前記移動通信端末に対して、保持された前記無線管理局の最新の送信信号、最新の受信信号を通知させ、前記無線管理局での最新の送信信号、最新の受信信号と保持された前記移動通信端末での最新の送信信号、最新の受信信号を基に通信失敗要因として基地局からの送信失敗、又は、移動通信端末からの送信失敗を判断する手順と、通信失敗した各移動通信端末から無線管理局に通知された通信失敗要因、通信送信電力を基地局毎に保持する手順と、保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する手順とを備えることを特徴とする、通信失敗要因特定による通信品質向上をコンピュータで実行するプログラムを提供する。
【００１８】
さらに、本発明は、無線管理局同士が接続され、各無線管理局が管轄する複数の基地局の各々のエリアに在圏し、通信失敗要因特定による通信品質向上を行う移動通信端末において、前記移動通信端末で送信した送信信号の送信電力、受信した受信信号の受信電力を測定する送受信電力測定部と、最新の送受信信号について前記送受信電力測定部で測定された送信電力、受信電力を保持する最新送受信電力情報保持部と、前記移動通信端末で送受信した最新の送信信号、最新の受信信号を保持する第１の最新送受信信号保持部と、通信失敗した前記移動通信端末に対して、前記無線管理局で、管轄している基地局に在圏する移動通信端末から送受信した最新の送信信号、最新の受信信号を保持する第２の最新送受信信号保持部に保持された前記無線管理局の最新の送信データ、最新の受信データを通知させ、前記無線管理局での最新の送信データ、最新の受信データと前記第１の最新送受信信号保持部に保持された前記移動通信端末での最新の送信データ、最新の受信データを基に通信失敗要因として基地局からの送信失敗、又は、移動通信端末からの送信失敗を判断する通信失敗要因判断部と、通信失敗した各移動通信端末の前記通信失敗要因判断部、前記最新送受信電力情報保持部から無線管理局にそれぞれ通知された通信失敗要因、通信送信電力を基地局毎に保持する通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求させ、又は、総じて複数の移動通信端末の送信電力が低く、複数の移動通信端末からの送信失敗が多い場合、複数の移動通信端末に対して送信電力の増加を要求させることを特徴とする、通信失敗要因特定による通信品質向上を行う移動通信端末を提供する。
【００１９】
さらに、本発明は、移動通信端末が基地局のエリアに在圏する複数の基地局を管轄し、移動通信端末の通信失敗要因特定による通信品質向上を行う無線管理局において、前記無線管理局で、管轄している基地局に在圏する移動通信端末から送受信した最新の送信信号、最新の受信信号を保持する第２の最新送受信信号保持部と、通信失敗した前記移動通信端末に対して、前記第２の最新送受信信号保持部に保持された前記無線管理局の最新の送信信号、最新の受信信号を通知させ、前記無線管理局での最新の送信信号、最新の受信信号と、前記移動通信端末で送受信した最新の送信信号、最新の受信信号を保持する第１の最新送受信信号保持部に保持された前記移動通信端末での最新の送信信号、最新の受信信号とを基に通信失敗要因として基地局からの送信失敗、又は、移動通信端末からの送信失敗を判断する通信失敗要因判断部、最新の送受信信号について、前記移動通信端末で送信した送信信号の送信電力、受信した受信信号の受信電力を測定する送受信電力測定部で測定された送信電力、受信電力を保持する最新送受信電力情報保持部からそれぞれ無線管理局に通知された通信失敗要因、通信送信電力を基地局毎に保持する通信失敗情報保持部と、前記通信失敗情報保持部に保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求する送信電力増加要求部とを備えることを特徴とする、通信失敗要因特定による通信品質向上を行う無線管理局を提供する。
【発明の効果】
【００２０】
以上説明したように、本発明によれば、移動通信端末で送信した送信信号の送信電力、受信した受信信号の受信電力を測定し、最新の送受信信号について送受信電力測定部で測定された送信電力、受信電力を保持し、移動通信端末で送受信した最新の送信信号、最新の受信信号を保持し、無線管理局で、管轄している基地局に在圏する移動通信端末から送受信した最新の送信信号、最新の受信信号を保持し、通信失敗した移動通信端末に対して、保持された無線管理局の最新の送信信号、最新の受信信号を通知させ、無線管理局での最新の送信信号、最新の受信信号と保持された移動通信端末での最新の送信信号、最新の受信信号を基に通信失敗要因として基地局からの送信失敗、又は、移動通信端末からの送信失敗を判断し、通信失敗した各移動通信端末から無線管理局に通知された通信失敗要因、通信送信電力を基地局毎に保持し、保持されている通信失敗要因、通信送信電力を基に、総じて複数の移動通信端末の受信電力が低く、無線管理局からの通信失敗が多い場合、複数の基地局に対して送信電力の増加を要求し、又は、総じて複数の移動通信端末の送信電力が低く、複数の移動通信端末からの送信失敗が多い場合、複数の移動通信端末に対して送信電力の増加を要求するようにしたので、通信失敗時に移動通信端末の最新の送信信号、最新の受信信号を基に、通信失敗要因を判断するため、正確な通信失敗要因を特定することが可能となる。さらに、正確な通信失敗要因が明確になるので、移動通信端末、基地局に対して送信電力増加の要求が可能となり、通信品質の向上が可能になる。
【発明を実施するための最良の形態】
【００２１】
以下、本発明の実施の形態について図面を参照して説明する。
図１は、本発明の、通信失敗要因特定による通信品質向上システムに係る移動通信端末の通信システムの概略構成を示すブロック図である。本発明の、通信失敗要因特定による通信品質向上システムは、本図に示す移動通信端末の通信システム５００の通信品質の向上をコンピュータのプログラム制御で実行する。
【００２２】
移動通信端末の通信システム５００には複数の無線管理局３００、３１０がネットワーク４００で接続され、さらに、各無線管理局３００には複数の基地局２００が接続され、各無線管理局３１０には複数の基地局２１０が接続され、さらに、各基地局２００の基地局内ゾーンのエリアには送受信波で通信を行う複数の移動通信端末１００が在圏し、各基地局２１０の基地局内ゾーンのエリアには送受信波で通信を行う複数の移動体通信端末１１０が在圏する。
【００２３】
ここに、無線管理局３００は複数の基地局２００を管轄し、各基地局２００と在圏する複数の移動通信端末１００との間で送受信波による送受信を論理的に制御・管轄し、さらに、無線管理局３１０は複数の基地局２１０を管轄し、各基地局２１０と在圏する複数の移動通信端末１１０との間で送受信波による送受信を論理的に制御・管轄する。
各基地局２００は複数の移動通信端末１００が在圏する基地局内ゾーンのエリアを管轄する局であり、複数の移動通信端末１００に対する中継を行い、複数の移動通信端末１００と物理的に送受信波で送受信を行い、さらに、各基地局２１０は複数の移動通信端末１１０が在圏する基地局内ゾーンのエリアを管轄する局であり、複数の移動通信端末１１０に対する中継を行い、複数の移動通信端末１００と物理的に送受信波で送受信を行う。
【００２４】
ここでは、移動通信端末１００、１１０同士は通信を行っている状態とする。
以下に、移動通信端末１００（１１０）、無線管理局３００（３１０）について詳細に説明する。
図２は図１における移動通信端末１００（１１０）の概略機能を説明するブロック図である。本図に示すように、移動通信端末１００には送受信電力測定部１００Ａが設けられ、送受信電力測定部１００Ａは移動通信端末１００と基地局２００の間の通信中に基地局２００からの受信電力、基地局２００への送信電力を周期的に測定する。
【００２５】
さらに、移動通信端末１００には最新送受信電力情報保持部１００Ｂが設けられ、最新送受信電力情報保持部１００Ｂは送受信電力測定部１００Ａにより測定された最新の受信電力、最新の送信電力を保持し、通信失敗時に保持された最新の受信電力情報、最新の送信電力情報を無線管理部３００に送信する。
さらに、移動通信端末１００には最新送受信信号保持部１００Ｃが設けられ、最新送受信信号保持部１００Ｃは無線管理局３００に送信した最新の送信信号、無線管理局３００から受信した最新の受信信号を保持する。
【００２６】
さらに、移動通信端末１００には通信失敗要因判断部１００Ｄが設けられ、通信失敗要因判断部１００Ｄは移動通信端末１００から無線管理局３００に問い合わせを行い、無線管理局３００からの情報に基づき、通信失敗要因の判断を行い、無線管理局３００に対して通信失敗要因の判断結果、通信失敗時の受信電力、送信電力を通知する。
以上については移動通信端末１１０についても同様である。
【００２７】
図３は図１における無線管理局３００（３１０）の概略機能を説明するブロック図である。本図に示すように、無線管理局３００には最新送受信信号保持部３００Ａが設けられ、最新送受信信号保持部３００Ａは複数の移動通信端末１００から受信した最新のデータ信号、複数の移動通信端末１００に送信した最新の送達確認信号を保持する。
無線管理局３１０には最新送受信信号保持部３１０Ａが設けられ、最新送受信信号保持部３１０Ａは複数の移動通信端末１１０に送信した最新の送信信号、複数の移動通信端末１１０から受信した最新の受信信号を保持する。
【００２８】
さらに、無線管理局３００には通信失敗情報保持３００Ｂが設けられ、通信失敗情報保持３００Ｂは通信失敗した複数の移動通信端末１００から通知された通信失敗要因、通信送信電力、受信電力の情報を基地局毎に保持する。
さらに、無線管理局３００には送信電力増加要求部３００Ｃが設けられ、送信電力増加要求部３００Ｃは、通信失敗情報保持部３００Ｂに保持された複数の移動通信端末１００通信失敗要因、送信電力、受信電力を基に解析を行い、総じて複数の移動通信端末１００の受信電力が低く、無線管理局３００からの通信失敗が多い場合、複数の基地局２００に対して送信電力の増加を要求し、又は、総じて複数の移動通信端末の送信電力が低く、複数の移動通信端末１００からの送信失敗が多い場合、複数の移動通信端末１００に対して送信電力の増加を要求する。
【００２９】
以上については無線管理局３１０についても同様である。
図４は図１における移動通信端末の通信システムの動作例を説明するシーケンス図である。本図に示すように、移動通信端末１００から移動通信端末１１０にデータ信号を送信するものとし、送信するデータ信号はデータ信号（１）、データ信号（２）、…、データ信号（ｎ）のように送信順に番号が付加されており、データ信号（１）、データ信号（２）、…、データ信号（ｎ）の順に送信されるとする。
【００３０】
移動通信端末１００から基地局２００の中継で無線管理局３００にデータ信号（１）、データ信号（２）、…、データ信号（ｎ）が送信されると、無線管理局３００から基地局２００の中継で移動通信端末１００に対してデータ信号毎の送達確認信号としてデータ信号の番号に対応した番号が付加された送達確認信号としてデータ信号（１）の送達確認信号（１）、データ信号（２）の送達確認信号（２）、…、データ信号（ｎ）の送達確認信号（ｎ）が送信される。
【００３１】
移動通信端末１００では、無線管理局３００からの送達確認信号の受信をもってデータ信号が無線管理局３００に送信されたことを確認する。
このように、移動通信端末１００では、複数のデータ信号を送信する際に、送達確認信号の受信を行ってから次のデータ信号の送信が行われる。
さらに、移動通信端末１００の送受信電力測定部１００Ａにより、データ信号（１）の送信電力、送達確認信号（１）の受信電力、データ信号（２）の送信電力、送達確認信号（２）の受信電力、…、データ信号（ｎ）の送信電力、送達確認信号（ｎ）の受信電力が測定される。
【００３２】
無線管理局３００からネットワークを経由して無線管理局３１０にデータ信号（１）、データ信号（２）、…、が送信される。
無線管理局３１０から基地局２１０の中継で移動通信端末１１０にデータ信号（１）、データ信号（２）、…、データ信号（ｎ）が送信されると、無線管理局３１０から基地局２１０の中継で移動通信端末１１０に対してデータ信号毎の送達確認信号としてデータ信号の番号に対応した番号が付加された送達確認信号としてデータ信号（１）の送達確認信号（１）、データ信号（２）の送達確認信号（２）、…、データ信号（ｍ）の送達確認信号（ｍ）が送信される。
【００３３】
無線管理局３１０では、移動通信端末１１０からの送達確認信号の受信をもってデータ信号が移動通信端末１１０に送信されたことを確認する。
このように、無線管理局３１０では、複数のデータ信号を送信する際に、送達確認信号の受信を行ってから次のデータ信号の送信が行われる。
さらに、移動通信端末１１０の送受信電力測定部１１０Ａにより、データ信号（１）の受信電力、送達確認信号（１）の送信電力、データ信号（２）の受信電力、送達確認信号（２）の送信電力、…、データ信号（ｍ）の受信電力、送達確認信号（ｍ）の送信電力が測定される。
【００３４】
ここで、移動通信端末１００では、無線管理局３００へのデータ信号（ｎ）の送信に対して無線管理局３００で受信し、無線管理局３００からデータ信号（ｎ）の送達確認信号（ｎ）を送信する際に基地局２００の送信失敗があると、基地局２００からのデータ信号（ｎ）の送達確認信号（ｎ）を受信することができず、通信失敗となる。この通信失敗は前述の通信失敗要因２に相当する。
【００３５】
他方、移動通信端末１００から無線管理局３００にデータ信号（ｎ）を送信する際に移動通信端末１００の送信失敗があると、無線管理局３００ではデータ信号（ｎ）を受信できず、無線管理局３００からデータ信号（ｎ）の送達確認信号（ｎ）を送信することができず、移動通信端末１００ではデータ信号（ｎ）の送達確認信号（ｎ）を受信することができず、通信失敗となる（図示しない）。この通信失敗は前述の通信失敗要因１に相当する。
【００３６】
さらに、移動通信端末１１０から無線管理局３２０にデータ信号（ｍ）の送達確認信号（ｍ）を送信する際に移動通信端末１１０の送信失敗があると、無線管理局３１０ではデータ信号（ｍ）の送達確認信号（ｍ）を受信できず、無線管理局３１０からデータ信号（ｍ＋１）を送信することができず、移動通信端末１１０ではデータ信号（ｍ＋１）を受信することができず、通信失敗となる。この通信失敗は前述の通信失敗要因１に相当する。
【００３７】
他方、移動通信端末１１０では、無線管理局３１０へのデータ信号（ｍ）の送達確認信号（ｍ）の送信に対して無線管理局３１０で受信し、無線管理局３１０からデータ信号（ｍ＋１）を送信する際に基地局２００の送信失敗があると、基地局２００からのデータ信号（ｍ＋１）を受信することができず、通信失敗となる（図示しない）。この通信失敗は前述の通信失敗要因２に相当する。
【００３８】
図５は通信失敗時に移動通信端末１００おける最新送受信信号保持部１００Ｃ、移動通信端末１１０おける最新送受信信号保持部１１０Ｃに保持される最新の送信信号、最新の受信信号を説明する図である。
図４の動作例における通信失敗時に、本図５(ａ)に示すように、移動通信端末１００における最新送受信信号保持部１００Ｃには、最新の送信信号としてデータ信号（ｎ）、最新の受信信号として送達確認信号（ｎ−１）が保持される。
【００３９】
図４の動作例における通信失敗時に、本図５(ｂ)に示すように、移動通信端末１１０おける最新送受信信号保持部１１０Ｃには、最新の送信信号として送達確認信号（ｍ）、最新の受信信号としてデータ信号（ｍ）が保持される。
図６は通信失敗時に無線管理局３００おける最新送受信信号保持部３００Ａ、無線管理局３１０おける最新送受信信号保持部３１０Ａに保持される最新の送信信号、最新の受信信号を説明する図である。
【００４０】
図４の動作例における通信失敗時には、本図６(ａ)に示すように、無線管理局３００おける最新送受信信号保持部３００Ａには、各基地局２００に在圏する各移動通信端末１００に対して最新の送信信号として送達確認信号（ｎ）、最新の受信信号としてデータ信号（ｎ）が保持される。
図４の動作例における通信失敗時には、本図６(ｂ)に示すように、無線管理局３１０における最新送受信信号保持部３１０Ａには、各基地局２１０に在圏する各移動通信端末１１０に対して最新の送信信号としてデータ信号（ｍ）、最新の受信信号として送達確認信号（ｍ−１）が保持される。
【００４１】
図７は通信失敗時に移動通信端末１００おける最新送受信電力情報保持部１００Ｂ、移動通信端末１１０における最新送受信電力情報保持部１１０Ｂに保持される最新の送信電力、最新の受信電力の情報を説明する図である。
図４の動作例における通信失敗時に、本図７(ａ)に示すように、移動通信端末１００における最新送受信電力情報保持部１００Ｂには、最新の送信電力情報としてデータ信号（ｎ）の送信電力、最新の受信電力情報として送達確認信号（ｎ−１）の受信電力が保持される。
【００４２】
図４の動作例における通信失敗時に、本図７(ｂ)に示すように、移動通信端末１１０おける最新送受信電力情報保持部１１０Ｂには、最新の送信電力情報として送達確認信号（ｍ）の送信電力、最新の受信電力情報としてデータ信号（ｍ）の受信電力が保持される。
図８は通信失敗要因特定による通信品質向上システムの一連の動作を説明するフローチャートである。本図に示すように、ステップ６０１において、図４に示す通信失敗があるとする。
【００４３】
ステップ６０２において、通信状態の回復を待つ。
ステップ６０３において、通信状態の回復があった移動通信端末１００（１１０）から無線管理局３００（３１０）への問い合わせを行う。
ステップ６０４において、問い合わせに対して、無線管理局３００（３１０）から移動通信端末１００（１１０）に最新送受信信号保持部３００Ａ（３１０Ａ）の最新の送信信号、最新の受信信号を通知する。
【００４４】
例えば、図６（ａ）に示すように、最新送受信信号保持部３００Ａに保持される、最新の送信信号として送達確認信号（ｎ）、最新の受信信号としてデータ信号（ｎ）が移動通信端末１００に通知される。
さらに、図６（ｂ）に示すように、最新送受信信号保持部３１０Ａに保持される、最新の送信信号としてデータ信号（ｍ）、最新の受信信号として送達確認信号（ｍ−１）が移動通信端末１００に通知される。
【００４５】
ステップ６０５において、移動通信端末１００（１１０）の通信失敗要因判断部１００Ｄ（１１０Ｄ）では、最新送受信信号保持部３００Ａ（３１０Ａ）、最新送受信信号保持部１００Ｃ（１１０Ｃ）に保持されている最新の送信信号、最新の受信信号を基に通信失敗要因を解析する。
例えば、通信失敗要因判断部１００Ｄでは、最新送受信信号保持部３００Ａに保持される最新の送信信号として送達確認信号（ｎ）、最新の受信信号としてデータ信号（ｎ）と、最新送受信信号保持部１００Ｃに保持される最新の送信信号としてデータ信号（ｎ）、最新の受信信号として送達確認信号（ｎー１）を基に解析すると、移動通信端末１００が送信したデータ信号（ｎ）が無線管理局３００に届いており、無線管理局３００が送信した送達確認信号（ｎ）が移動通信端末１００に届かなかったことが分かる。すなわち、無線管理局３００への送信失敗要因が基地局２００の送信失敗であったことが分かる。
【００４６】
さらに、通信失敗要因判断部１１０Ｄでは、最新送受信信号保持部３１０Ａに保持される最新の送信信号としてデータ信号（ｍ）、最新の受信信号として送信確認信号（ｍ−１）と、最新送受信信号保持部１１０Ｃに保持される最新の送信信号として送信確認信号（ｍ）、最新の受信信号としてデータ信号（ｍ）を基に解析すると、移動通信端末１１０が送信したデータ信号（ｍ）の送信確認信号（ｍ）を送信した時点でデータ信号（ｍ＋１）が無線管理局３１０から受信されなかったため無線管理局３１０への送信失敗要因が移動通信端末１１０の送信失敗であったことが分かる。
【００４７】
ステップ６０６において、移動通信端末１００（１１０）から無線管理局３００（３１０）に通信失敗要因、通信失敗時の受信電力、送信電力の情報を通知し、通信失敗情報保持部３００Ｂ（３１０Ｂ）に保持する。
ステップ６０７において、送信電力増加要求部３００Ｃ（３１０Ｃ）では、通信失敗情報保持部３００Ｂ（３１０Ｂ）の通信失敗要因、通信失敗時の受信電力、送信電力の情報を解析し、総じて移動通信端末１００（１１０）側の受信電力が低く、基地局２００（２１０）からの送信失敗が多いのか、又は、総じて移動通信端末１００（１１０）側の送信電力が低く、移動通信端末１００（１１０）からの送信失敗が多いのかを判断し、この判断に応じて基地局２００（２１０）、移動通信端末１００（１１０）に送信電力増加を要求し、処理を終了する。
【００４８】
以下に、無線管理局３００（３１０）の送信電力増加要求部３００Ｃ（３１０Ｃ）について詳細に説明する。
図９は図１の移動通信端末の通信システムの部分詳細を説明するブロック図である。本図に示すように、無線管理局３００（３１０）には基地局２００（２１０）として複数の基地局２００−１（２１０−１）、２００−２（２１０−２）、２００−３（２１０−３）が接続され、基地局２００（２１０−１）の基地局ゾーンのエリアに在圏する移動通信端末１００（１１０）として、基地局２００−１（２１０−１）の基地局ゾーンのエリアに在圏する移動通信端末１０１−１（１１１−１）、１０１−２（１１１−２）、１０１−３（１１１−３）、１０１−４（１１１−４）が通信失敗し、基地局２００−２（２１０−２）の基地局ゾーンのエリアに在圏する移動通信端末１０２−１（１１２−１）、１０２−２（１１２−２）が通信失敗し、基地局２００−３（２１０−３）の基地局ゾーンのエリアに在圏する移動通信端末１０３−１（１１３−１）、１０３−２（１１３−２）、１０３−３（１１３−３）が通信失敗しているとする。
【００４９】
図１０は図９の無線管理局３００（３１０）の通信失敗情報保持部３００Ｂ（３１０Ｂ）、送信電力増加要求部３００Ｃ（３１０Ｃ）を説明する図である。本図に示すように、無線管理局３００（３１０）の通信失敗情報保持部３００Ｂ（３１０Ｂ）には各基地局２００（２１０）に在圏する移動通信端末１００（１１０）の通信失敗要因、通信失敗時の送信電力、受信電力が保持されている。
【００５０】
基地局２００−１に在圏する移動通信端末１０１−１〜１０１−４は移動通信端末側の送信失敗であるとする。
基地局２００−２に在圏する移動通信端末１０２−１、１０２−２は基地局側の送信失敗であるとする。
基地局２００−３に在圏する移動通信端末１０３−１は基地局側の送信失敗であり、移動通信端末１０１−４は移動通信端末側の送信失敗であるとする。
るとする。
【００５１】
基地局２００−１、２００−２、２００−３毎に在圏する全ての移動通信端末の送信電力の総和、平均、受信電力の平均が保持されている。
なお、通信失敗が発生していない移動通信端末１００（１１０）は、送信電力、受信電力共に各基地局の平均値で送受信を行っているものとする。
送信電力増加要求部３００Ｃ（３１０Ｃ）には、移動通信端末の送信電力の総和に対する制限、受信電力の平均に対する制限が設けられる。
【００５２】
移動通信端末の送信電力の総和に対する制限は、無線リソース、他の基地局への干渉を抑制するために、基地局２００−１（２１０−１）、２００−２（２１０−２）、２００−３（２１０−３）の各々には在圏可能な移動通信端末の上限が存在し、在圏する各移動通信端末の送信電力の総和が制限値として例えば５０ｄＢｍを超えないこととしている。
また、受信電力の平均の制限は、基地局側からの送信も他の基地局への干渉となるため、制限値として例えば−８０ｄＢｍを超えないこととしている。
【００５３】
まず、送信電力増加要求部３００Ｃでは、通信失敗情報保持部３００Ｂを参照して、基地局２００−１における移動通信端末１０１−１〜１０１−４の通信失敗が移動通信端末側送信失敗であるため、通信失敗時の送信電力の情報を以下のように解析する。
５０ｄＢｍ（送信電力の総和の制限値）−４０ｄＢｍ（基地局２００−１の送信電力の総和）＝１０ｄＢｍ
【００５４】
これにより、基地局２００−１に関する送信電力の総和には制限値まで１０ｄＢｍの余裕がある。このため、１０ｄＢｍ／４（通信失敗した移動通信端末の台数）＝２．５ｄＢｍだけ、各移動通信端末１０１−１〜１０１−４に配分して送信電力を上昇することが可能である。
したがって、送信電力増加要求部３００Ｃでは、既存の通知情報を利用して、移動通信端末１０１−１〜１０１−４に対して送信電力を２．５ｄＢｍだけ増加するように要求する。これにより、通信品質を向上することが可能になる。
【００５５】
さらに、送信電力増加要求部３００Ｃでは、通信失敗情報保持部３００Ｂを参照して、基地局２００−２における移動通信端末１０２−１、１０２−２の通信失敗が基地局側送信失敗であるため通信失敗時の受信電力の情報を以下のように解析する。
−８０ｄＢｍ（受信電力の平均が制限値）−（−９０ｄＢｍ（基地局２００−１の受信電力の平均））＝１０ｄＢｍ
【００５６】
これにより、基地局２００−１に関する受信電力の平均には制限値まで１０ｄＢｍの余裕がある。このため、１０ｄＢｍだけ、基地局２００−１の送信電力を上昇することが可能である。
したがって、送信電力増加要求部３００Ｃでは、既存の通知情報を利用して、基地局２００−１に対して送信電力を１０ｄＢｍだけ増加するように要求する。これにより、通信品質を向上することが可能になる。
【００５７】
さらに、送信電力増加要求部３００Ｃでは、通信失敗情報保持部３００Ｂを参照して、基地局２００−２における移動通信端末１０３−１の通信失敗が基地局側送信失敗であり、移動通信端末１０３−２、１０３−３の通信失敗が移動通信端末側失敗であるため通信失敗時の送信電力、受信電力の情報を以下のように解析する。
５０ｄＢｍ（送信電力の総和の制限値）−５０ｄＢｍ（基地局２００−３の送信電力の総和）＝０ｄＢｍ
【００５８】
これにより、基地局２００−３に関する送信電力の総和には制限値まで余裕がない。このため、各移動通信端末１０３−２、１０３−３は送信電力を上昇することが不可能である。移動通信端末側失敗に対しては通信品質を向上することが不可能である。
他方、
−８０ｄＢｍ（受信電力の平均が制限値）−（−８５ｄＢｍ（基地局２００−３の受信電力の平均））＝５ｄＢｍ
【００５９】
これにより、基地局２００−３に関する受信電力の平均には制限値まで５ｄＢｍの余裕がある。このため、５ｄＢｍだけ、基地局２００−３の送信電力を上昇することが可能である。
したがって、送信電力増加要求部３００Ｃでは、既存の通知情報を利用して、基地局２００−３に対して送信電力を５ｄＢｍだけ増加するように要求する。これにより、通信品質を向上することが可能になる。
【００６０】
以上説明したように、本発明によれば、通信失敗時に移動通信端末の最新の送信信号、最新の受信信号を基に、通信失敗要因を判断するため、正確な通信失敗要因を特定することが可能となる。さらに、正確な通信失敗要因が明確になるので、移動通信端末、基地局に対して送信電力増加の要求が可能となり、通信品質の向上が可能になる。
【産業上の利用可能性】
【００６１】
以上の説明では、移動通信端末について説明を行ったが、これに限らず、携帯電話機、ＰＨＳ（簡易携帯電話機）、ＰＤＡ（携帯情報端末）にも利用可能である。
【図面の簡単な説明】
【００６２】
【図１】本発明の、通信失敗要因特定による通信品質向上システムに係る移動通信端末の通信システムの概略構成を示すブロック図である。
【図２】図１における移動通信端末１００（１１０）の概略機能を説明するブロック図である。
【図３】図１における無線管理局３００（３１０）の概略機能を説明するブロック図である。
【図４】図１における移動通信端末の通信システムの動作例を説明するシーケンス図である。
【図５】通信失敗時に移動通信端末１００おける最新送受信信号保持部１００Ｃ、移動通信端末１１０おける最新送受信信号保持部１１０Ｃに保持される最新の送信信号、最新の受信信号を説明する図である。
【図６】通信失敗時に無線管理局３００おける最新送受信信号保持部３００Ａ、無線管理局３１０おける最新送受信信号保持部３１０Ａに保持される最新の送信信号、最新の受信信号を説明する図である。
【図７】通信失敗時に移動通信端末１００おける最新送受信電力情報保持部１００Ｂ、移動通信端末１１０における最新送受信電力情報保持部１１０Ｂに保持される最新の送信電力、最新の受信電力の情報を説明する図である。
【図８】通信失敗要因特定による通信品質向上システムの一連の動作を説明するフローチャートである。
【図９】図１の移動通信端末の通信システムの部分詳細を説明するブロック図である。
【図１０】図９の無線管理局３００（３１０）の通信失敗情報保持部３００Ｂ（３１０Ｂ）、送信電力増加要求部３００Ｃ（３１０Ｃ）を説明する図である。
【図１１】移動通信端末の無線区間での通信失敗の発生事象例を説明する図である。
【符号の説明】
【００６３】
１００、１１０、１０１−１〜１０１−４、１０２−１、１０２−２、１０３−１〜１０３−３…移動通信端末
２００、２１０、２００−１、２００−２、２００−３、２１０−１、２１０−２、２１０−３…基地局
３００、３１０…無線管理局
１００Ａ、１１０Ａ…送受信電力測定部
１００Ｂ、１１０Ｂ…最新送受信電力情報保持部
１００Ｃ、１１０Ｃ…最新送受信信号保持部
１００Ｄ、１１０Ｄ…通信失敗要因判断部
３００Ａ、３１０Ａ…最新送受信信号保持部
３００Ｂ、３１０Ｂ…通信失敗情報保持部
３００Ｃ、３１０Ｃ…送信電力増加要求部
４００…ネットワーク
【図１】
2007110657.tif 000003
【図２】
2007110657.tif 000004
【図３】
2007110657.tif 000005
【図４】
2007110657.tif 000006
【図５】
2007110657.tif 000007
【図６】
2007110657.tif 000008
【図７】
2007110657.tif 000009
【図８】
2007110657.tif 000010
【図９】
2007110657.tif 000011
【図１０】
2007110657.tif 000012
【図１１】
2007110657.tif 000013